(57)【要約】      （修正有）【課題】ゴルフのスイング時の左右及び前後のスエーの程度を自分でたやすく確認出来、しかも小型で而も持ち運びが容易なゴルフのスイングチェッカーを提供することにあり、自宅、練習場での使用は勿論、ラウンド中においても支障なく使用できることとした。【解決手段】断面丸或いは角形であって、而も一定角度にて傾斜して地上面に立てられるパイプ本体１と、このパイプ本体の内孔２底部に位置し、且つ上部からその一定傾斜角度に沿った視線状態にて露見する焦点部４とで成すことによって、スエーの程度を自分でたやすく確認出来、しかも小型で而も持ち運びが容易となるゴルフのスイングチェッカー。【選択図】図１
0003116570.tif 000002
【実用新案登録請求の範囲】
【請求項１】
断面丸或いは角形であって、而も一定角度にて傾斜して地上面に立てられるパイプ本体と、このパイプ本体の内孔底部に位置し、且つ上部からその一定傾斜角度に沿った視線状態にて露見する焦点部とで成したことを特徴とするゴルフスイング用チェッカー。
【請求項２】
パイプ本体の下端に、一定角度にて傾斜して立つ様、地上面に着座する台座を装備したことを特徴とする請求項１記載のゴルフスイング用チェッカー。
【請求項３】
パイプ本体の下端に、一定角度にて傾斜して立つ様、地上面に差し込まれるピンを備えたことを特徴とする請求項１記載のゴルフスイング用チェッカー。
【請求項４】
ピンをゴルフボール用のティーとし、パイプ本体の下端に挿入したことを特徴とする請求項１及び３記載のゴルフスイング用チェッカー。
【請求項５】
焦点部を半球鏡面体とし、且つ傾斜状に形成した台座に固定し、該半球鏡面体の球面部がパイプ本体の上部から露見する様したことを特徴とする請求項１〜２記載のゴルフスイング用チェッカー。
【請求項６】
焦点部をパイプ本体の内径より大径の球鏡体とし、且つパイプ本体の下部表面を部分的に切欠いて採光窓部を形成し、該球鏡体を窓部より投入して窓底部に載置させたことを特徴とする請求項１〜４記載のゴルフスイング用チェッカー。
【請求項７】
台座を、パイプ本体を保持する支持片と地上面に着座する座板とで構成し、而も両者は円弧スリットを有するアームと締結具にて任意の角度にてパイプ本体を位置決めすることを特徴とする請求項１〜２及び５〜６記載のゴルフスイング用チェッカー。
【考案の詳細な説明】
【技術分野】
【０００１】  本考案は、ゴルフのスイング時のスエーの程度を自分で知り、チェックし修正する為の機具に関する。
【技術文献】
【０００２】  特開２００３−１６４５５４号
【背景技術】
【０００３】  一般的に右打ちゴルファーのスイングは、テークバックで右側に体重移動し、ダウンスイングからの振り抜きで体重は左側に移動する動きを行うこととなる。この動作中といえども頭の位置が前後、左右に動かないこと、即ち目とボールとの距離がズレないことが理想のスイングといわれる。
この頭の位置が動くことをスエーとも称しており、そのチェッカー（矯正具）として上記技術文献が存在する。
ところで、この文献は、遮影板と称する箱形カバーにて標識板を覆い、そのカバーの手前側は、ゴルファーの視線と直角に成る様傾斜面とし、その傾斜面には長いスリットが設けられており、カバー内に位置した標識板がそのスリットを通して標識板が露見できる様にしている。而して、左右へのスエーは、識別板に施された３色の色変化をスリットから露見することによってチェック出来、また前後のスエーは傾斜面と標識板とにそれぞれ描かれた水平目印線の上下のズレにてチェックする様にしている。
この様なものであると、カバーが箱形であり、また内部には標識板が収納されているから、嵩高く、自宅、練習場などでは使用できるが、実際のラウンド中での持ち運びが容易でないことから、チェッカーには不向きであった。
特に、箱形カバー、標識板はベース台に取付けられることからも難しい。
【考案の開示】
【考案が解決しようとする課題】
【０００４】  本考案は、ゴルフのスイング時の左右及び前後のスエーの程度を自分でたやすく確認出来、しかも小型で而も持ち運びが容易なゴルフのスイングチェッカーを提供することにあり、自宅、練習場での使用は勿論、ラウンド中においても支障なく使用できることとした。
【考案を解決するための手段】
【０００５】  以上の課題を解決するために本考案は、断面丸或いは角形であって、而も一定角度にて傾斜して地上面に立てられるパイプ本体と、このパイプ本体の内孔底部に位置し、且つ上部からその一定傾斜角度に沿った視線状態にて露見する焦点部とで成すことによって、スエーの程度を自分でたやすく確認出来、しかも小型で而も持ち運びが容易となるゴルフのスイングチェッカー。
【考案の効果】
【０００６】（１）請求項１により、スイング時に、傾斜したパイプ本体１の下端の焦点部４を見据えて振り抜けばスエーの程度ば容易に体得できる。
即ち、パイプ本体１の上端から焦点部４までの距離を所定の範囲内に定めて、このパイプ本体１の下端に焦点部４を設け、このパイプ本体１を傾斜させてセットし、眼と焦点部４とで焦点合わせした定位置を中心に人の眼の位置がスエーの確認可能領域となり、焦点部４が見えなくなるか、又は焦点部４が中心よりズレて見えるから、スエーの程度が分かり、修正することが出来る。
（２）請求項２により、パイプ本体１の下端に台座３を装備し、この台座３を地上面Ｎにおくことによってパイプ本体１を一定角度にて傾斜して立てることが出来ので、従来の箱形カバーにて標識板を覆ったものに比し、さり気なくポケット等から取出してスイングチェッカーとして使用でき、場所を選ぶこともない。
【０００７】（３）請求項３により、パイプ本体１の下端にピン１１を備え、スイングチェッカーとして使用する際は、地上面Ｎに差し込めば任意の角度に調整して立たせることが出来る。
（４）請求項４により、ピン１１をゴルフボール用のティー１２とし、パイプ本体１の内孔２の下端に挿入して使用すれば、単なる短いパイフと常時携帯しているティーとであるから、ラウンド中にスイングのチェックが簡単に出来る。
（５）請求項６により、焦点部４をパイプ本体１の内径より大径の球鏡体４ｂとし、且つパイプ本体１の下部表面を部分的に切欠いて採光窓部５を形成して該球鏡体４ｂを窓部５より投入して窓底部６に載せたから、その焦点部である球鏡体４ｂが輝き、鮮明に露見出来る。
（６）請求項７により、台座３を、パイプ本体１を保持する支持片３ａと地上面  Ｎに着座する座板３ｂとで構成し、而も両者３ａ、３ｂは円弧スリット７を  有するアーム８と締結具９、１０にて任意に角度調整出来るから、例えば、ドライバーとアイアンとで異なる角度をその場で感に頼ることなく設定チェック出来る。
【考案を実施するための最良の形態】
【０００８】以下本発明の実施の形態を示す図面に基づき説明する。
【実施例１】  図１に示す如く、ゴルフスイング用チェッカーの断面図であって、断面丸或いは角形パイプ本体１には内孔２を有する。このパイプ本体１は金属、又は合成樹脂、竹、木などで作られる。パイプ本体１の下端１ａは台座３に固定されており、この台座３は傾斜角度θ＝角度Ｌが地上面Ｎに対し傾斜角度となる。パイプ本体１の内孔２底部６である台座３には焦点部４が位置しており、パイプ本体１の上部からその一定傾斜角度Ｌに沿った視線状態にて露見することとなる。具体的には焦点部４を半球鏡面体４ａとして台座３に固定している。
【実施例２】  図３に示す如く、焦点部４をパイプ本体１の内径よりやや大径の球体４ｂとし、且つパイプ本体１の下部表面を部分的に切欠いて採光窓部５を形成して該球鏡体４ｂである焦点部４を窓部５より投入して窓の底部６に載せたから、その焦点部４が輝き、鮮明に露見出来る。又、台座３を金属にてＬ型に形成し、傾斜支持片３ａにパイプ本体１を沿わせて取付け、座板３ｂを地上面Ｎに着座させる。上記焦点部４を電気発光源、蛍光塗料、反射鏡などとすることによって一層鮮明になり周囲が暗い所や屋内などでも最適となる。  パイプ本体の入り口から焦点部までの距離は  ３０〜１５０ｍｍ、内孔２の直径は  ４〜１６ｍｍ、パイプの傾斜角度は５０〜７７度としている。
【実施例３】
【０００９】  図４、図７に示す如く、傾斜支持片３ａと座板３ｂとを区分けし、而も両者３ａ、３ｂは円弧スリット７を有するアーム８と締結具９、１０にて任意の角度Ｓ、Ｌにてパイプ本体１を位置決めする。
この角度Ｓをショートアイアンのチェック角度、角度Ｌをドライバーのチェック角度とし、パイプ本体１を夫々に対応して１Ｓ、１Ｌとして図示する。
【実施例４】  図５に示す如く、パイプ本体１の下端に、地上面Ｎに差し込まれるピン１１を一体に形成させている。
【実施例５】  図６に示す如く、パイプ本体１の内孔２の下端に、ゴルフボール用のティー１２を挿入している。
【図面の簡単な説明】
【０００９】
【図１】実施例１を示す断面図
【図２】実施例１を示す分解斜視面図
【図３】実施例２を示す断面図
【図４】実施例３を示す分解斜視面図
【図５】実施例４を示す分解斜視面図
【図６】実施例５を示す分解斜視面図
【図７】実施例４に基づく動作図
【符号の説明】
１  パイプ本体
２  内孔
３  台座
４  焦点部
５  採光窓部
６  窓底部
７  円弧スリット
８  アーム
９、１０  締結具
１１  ピン
１２  ゴルフボール用のティー
Ｎ    地上面
【図１】
0003116570.tif 000003
【図２】
0003116570.tif 000004
【図３】
0003116570.tif 000005
【図４】
0003116570.tif 000006
【図５】
0003116570.tif 000007
【図６】
0003116570.tif 000008
【図７】
0003116570.tif 000009